(57)【要約】      （修正有）【課題】最適の認識を行うことができるとともに、データに対する絶対的な機密性とセキュリティー効果の得られる指紋認識機能を有するデータアクセス装置を提供する。【解決手段】指紋検出器と、メモリユニットと、検証、及び暗号化、復号化モジュールと、コンピュータとデータの送受信を行う通信ユニットとを含んでなり、該指紋検出器が検知した使用者の指紋、及び/もしくは使用者が該コンピュータに入力し、該通信ユニットが取得した登録パスワードを該コンピュータによって演算し、検証、及び暗号化、復号化モジュールの検証ユニットに提供するとともに、ことで既設の指紋、及び/或いはパスワードと比較認識を行ってアクセス許可を発生させ、さらに初期検証ユニットの認識にパスすると、暗号化、復号化チップを起動してメモリユニットに進入し、メモリユニットのデータアクセスを制御するように構成する。【選択図】図２
0003115081.tif 000002
【実用新案登録請求の範囲】
【請求項１】
指紋検出器と、メモリユニットと、検証、及び暗号化、復号化モジュールと、通信ユニットとを含んでなり、該通信ユニットを介して外部のコンピュータと双方向のデータ送受信を行うデータアクセス装置であって、
該指紋検出器が検知した使用者の指紋、及び/もしくは使用者が該コンピュータに入力し、該通信ユニットが取得した登録パスワードを該コンピュータによって演算し、検証、及び暗号化、復号化モジュールの検証ユニットに提供するとともに、既設の指紋、及び/或いはパスワードと比較認識を行ってアクセス許可を発生させ、さらに初期検証ユニットの認識にパスすると、暗号化、復号化チップを起動してメモリユニットに進入し、メモリユニットのデータアクセスを制御するように構成することを特徴とする、指紋認識機能を有するデータアクセス装置。
【請求項２】
前記メモリユニットがハードディスクか、メモリか、もしくは、メモリカードであることを特徴とする請求項１記載の指紋認識機能を有するデータアクセス装置。
【請求項３】
前記通信ユニットがユニバーサル・シリアル・バス（USB）か、アメリカ電気電子技術者協会（IEEE）が制定している標準シリアル/パラレルインターフェースを介して該コンピュータに接続するすることを特徴とする請求項１記載の指紋認識機能を有するデータアクセス装置。
【請求項４】
前記データアクセス装置が、該指紋検出器が検知した使用者の指紋、及び/もしくは使用者が該コンピュータに入力し、該通信ユニットが取得した登録パスワードを該コンピュータによって演算し、検証、及び暗号化、復号化モジュールの検証ユニットに提供するとともに、既設の指紋、及び/或いはパスワードと比較認識し、認証に失敗するか、もしくは失敗が所定の回数以上に達した場合、該データアクセス装置を遮断する、もしくは再起動するように構成することを特徴とする請求項１に記載の指紋認識機能を有するデータアクセス装置。
【考案の詳細な説明】
【技術分野】
【０００１】
本考案は指紋認識機能を有するデータアクセス装置に関し、特に使用者のID制限に対して、指紋、及び/或いは、パスワード登録の認識を行う機能と、データアクセスの暗号化/復号化機能とを具えたデータアクセス装置に関する。
【背景技術】
【０００２】
従来の指紋認識装置は、大部分が外部のコンピュータシステムと接続し、使用者が指紋を入力して、該指紋認識装置が認識を行うことによって該コンピュータシステムが使用者に対してID制限を行い、セキュリティー管理と安全の効果を達成する。
【０００３】
指紋とは使用者にとって唯一ものである。よって、指紋認識装置は、一般的な出入管理のセキュリティー、自動車の防犯システム、撮影機器等以外に、さらに進んだものとして、業者がパーソナルコンピュータ、或いは、工業用コンピュータのデータの安全管理と機密保持の設定等にも導入されている。
【０００４】
台湾実用新案登録出願第９１２１３７６６号には、指紋検出モジュールと、メモリモジュールと、コントロールモジュールとを含む指紋入力装置が開示されている。該指紋入力装置は、指紋検出モジュールに使用者の指紋を入力して認識処理を行い、外部プロセッサの起動の有無を決定する。また、該外部プロセッサが起動した後、使用者はプロセッサを操作して直接メモリモジュールに対してデータアクセスを行うことができる。
【０００５】
但し、前記指紋検出モジュールは、外部プロセッサの起動ゲート（Gate）に類似したものである。よって、指紋検出モジュールの認識にパスした者が、該外部プロセッサを起動することができ、また、自由にメモリモジュールのデータにアクセスするか、もしくは削除することができる。即ち、該指紋検出モジュールとメモリモジュールが接続ケーブルを介して外部プロセッサと共同で構築されるが、基本的には個別の単体であるため、該メモリモジュールを抽出し、かつ該メモリモジュールを読取できる他の装置に接続した場合、容易にその内部ファイルを表示することができ、また、ソフトウエアの演算によって復号させることができる。
【０００６】
該指紋検出モジュールは、該メモリモジュールがその外部プロセッサと共同構築されているという条件下においてのみ、認識と防止を相対的に行い、外部プロセッサを起動して、かつメモリモジュールを起動する。従って、上述する従来の技術において、該指紋検出モジュールの使用者に対するID制限は形式化したものにすぎず、絶対的で、かつ全面的なデータの盗読防止を達成し、データの機密性を確保してセキュリティー効果を得ることができない。
【０００７】
上述する欠点を解決するため、メモリモジュールを分解できない形式のものが業者によって開発された。係る技術によれば、一端分解すると、メモリモジュールのデータが損傷する。しかしながら、係る解決手段も理想的な方式ではなく、なお改善を加える必要がある。
【特許文献１】台湾実用新案登録出願第９１２１３７６６号  公報
【考案の開示】
【考案が解決しようとする課題】
【０００８】
この考案は、使用者のID制限のために、最適の認識を行うことができるとともに、メモリユニット内のデータに対し絶対的な機密性とセキュリティー効果の得られる指紋認識機能を有するデータアクセス装置を提供することを課題とする。
【課題を解決するための手段】
【０００９】
そこで、本考案者は従来の技術有する欠点に鑑みて鋭意研究を重ねた結果、指紋検出器と、メモリユニットと、検証、及び暗号化、復号化モジュールと、通信ユニットとを含んでなり、該通信ユニットを介して外部の外部のコンピュータと双方向のデータ送受信を行うデータアクセス装置であって、該指紋検出器が検知した使用者の指紋、及び/もしくは使用者が該コンピュータに入力し、該通信ユニットが取得した登録パスワードを該コンピュータによって演算し、検証、及び暗号化、復号化モジュールの検証ユニットに提供するとともに、既設の指紋、及び/或いはパスワードと比較認識を行ってアクセス許可を発生させ、さらに初期検証ユニットの認識にパスすると、暗号化、復号化チップを起動してメモリユニットに進入し、メモリユニットのデータアクセスを制御するように構成してなる指紋認識機能を有するデータアクセス装置によって課題を解決できる点に着眼し、係る知見に基づき本考案を完成させた。
【００１０】
以下、この発明について具体的に説明する。
請求項１に記載する指紋認識機能を有するデータアクセス装置は、指紋検出器と、メモリユニットと、検証、及び暗号化、復号化モジュールと、通信ユニットとを含んでなり、該通信ユニットを介して外部の外部のコンピュータと双方向のデータ送受信を行うデータアクセス装置であって、該指紋検出器が検知した使用者の指紋、及び/もしくは使用者が該コンピュータに入力し、該通信ユニットが取得した登録パスワードを該コンピュータによって演算し、検証、及び暗号化、復号化モジュールの検証ユニットに提供するとともに、既設の指紋、及び/或いはパスワードと比較認識を行ってアクセス許可を発生させ、さらに初期検証ユニットの認識にパスすると、暗号化、復号化チップを起動してメモリユニットに進入し、メモリユニットのデータアクセスを制御するように構成する。
【００１１】
請求項２に記載する指紋認識機能を有するデータアクセス装置は、請求項１におけるメモリユニットがハードディスクか、メモリか、もしくは、メモリカードである。
【００１２】
請求項３に記載する指紋認識機能を有するデータアクセス装置は、請求項１における通信ユニットがユニバーサル・シリアル・バス（USB）か、アメリカ電気電子技術者協会（IEEE）が制定している標準シリアル/パラレルインターフェースを介して該コンピュータに接続する。
【００１３】
請求項４に記載する指紋認識機能を有するデータアクセス装置は、請求項１におけるデータアクセス装置が、該指紋検出器が検知した使用者の指紋、及び/もしくは使用者が該コンピュータに入力し、該通信ユニットが取得した登録パスワードを該コンピュータによって演算し、検証、及び暗号化、復号化モジュールの検証ユニットに提供するとともに、既設の指紋、及び/或いはパスワードと比較認識し、認証に失敗するか、もしくは失敗が所定の回数以上に達した場合、該データアクセス装置を遮断するか、もしくは再起動するように構成する。
【考案の効果】
【００１４】
この考案によるデータアクセス装置は、暗号化、復号化チップを含むため、暗号化の制限を排除することが極めて難しく、実際には不可能に近いものであるため、記憶ユニット内のデータに対して絶対的な機密性を提供し、優れたセキュリティ効果が得られるという利点を有する。
【００１５】
また、この考案によるデータアクセス装置は、指紋の検出及び／もしくは、パスワードの登録を選択することができる。即ち、機密保持の設定方式を多様化することによって、使用上の便利さを高め、且つ使用者のID制限に最も好ましい認識を行うことができるという利点がある。
【００１６】
また、この考案によるデータアクセス装置は、外部のコンピュータに既存するプロセッサなどを利用して演算、認識を行うため、処理速度が速いのみならず、生産コストを大幅に節減することができ、且つ外部コンピュータに別途駆動プログラムをインストールする必要がないため、外部コンピュータのメモリの使用容量を少なくするとともに、外部コンピュータに対するアプリケーションプログラムのインストールなどの設定を予め行う必要がなく、プラグアンドプレイの効果を達成することができる。
【００１７】
また、この考案によるデータアクセス装置は、メモリユニットをグレードアップするか、変換するか、もしくは拡張する場合、メモリ装置を取り外すか、互換性を有するものを挿入する場合、これを取り外すか、もしくは互換性のあるものを取り付けて、システムの設定で適合化させて使用することができる。但し、係る操作においてメモリユニットのデータを損傷することなく、暗号化、複合化チップのデータに対する機密性とセキュリティに影響を与えることがないため、将来に向けた製品の発展と互換性を大幅に高めることができ、多様性を有する使用効果が得られるといった利点を有する。
【考案を実施するための最良の形態】
【００１８】
この考案は、指紋認識機能を有するデータアクセス装置を提供するものであって、指紋検出器と、メモリユニットと、検証、及び暗号化、復号化モジュールと、通信ユニットとを含んでなり、該通信ユニットを介して外部の外部のコンピュータと双方向のデータ送受信を行うデータアクセス装置であって、該指紋検出器が検知した使用者の指紋、及び/もしくは使用者が該コンピュータに入力し、該通信ユニットが取得した登録パスワードを該コンピュータによって演算し、検証、及び暗号化、復号化モジュールの検証ユニットに提供するとともに、既設の指紋、及び/或いはパスワードと比較認識を行ってアクセス許可を発生させ、さらに初期検証ユニットの認識にパスすると、暗号化、復号化チップを起動してメモリユニットに進入し、メモリユニットのデータアクセスを制御するように構成することによって、使用者のID制限のために、最適の認識を行うことができるとともに、メモリユニット内のデータに対し絶対的な機密性とセキュリティー効果を提供するという目的を達成した。
係る構成の指紋認識機能を有するデータアクセス装置について、その構造と特徴を詳述するために、具体的な実施例を挙げ図面を参照にして以下に説明する。
【実施例】
【００１９】
図１に、この考案によるデータアクセス装置の使用態様を開示する。図面によれば、データアクセス装置１は、外部のコンピュータ２に電気的に接続して双方向のデータ伝送を行う。この場合、データアクセス装置１は、ユニバーサル・シリアル・バス（USB）、或いは、アメリカ電気電子技術者協会（IEEE）が制定した標準シリアル/パラレルインターフェース（例えば１３９４）を介して、外部のコンピュータ２に接続する。
【００２０】
図２に開示するように、該データアクセス装置１は、指紋検出器１１、メモリユニット１２、検証、及び、暗号化/復号化モジュール１３と通信ユニット１４とを包み構成される。メモリユニット１２は、ハードディスク、メモリカード、もしくはその他記憶媒体である。
【００２１】
この考案においては、指紋検出器１１によって使用者の指紋検知し、及び/或いは通信ユニット１４によってアクセスした使用者がコンピュータ２にパスワードを入力し、コンピュータ２で演算した後、検証、及び、暗号化/復号化モジュール１３の検証ユニット１３１に提供して既設の指紋、及び/或いは、パスワードの認識を行う。その認識結果が正確であった場合、アクセス許可を出し、認識に失敗、或いは、失敗が一定回数以上に達した場合、該装置をオフ、或いは、リブートする。
【００２２】
また、図３に開示するように、初期検証ユニット１３１の認識にパスすると、暗号化/復号化チップ１３２を起動してメモリユニット１２に進入し、メモリユニット１２のデータアクセスを制御する。言い換えると、該メモリユニット１２内のデータは、暗号化/復号化チップ１３２によって暗号化/復号化のプロセスを施した後で保存、或いは対外的に出力される。この暗号化/復号化チップ１３２はハイテクの集積回路を用いた焼録パッケージとして形成されているため、不法な方法でメモリユニット１２を抽出して、さらにプログラムで読み取ろうとしても、基本的には極めて困難、複雑、且つ、不可能である。したがって、本考案は使用者のID制限に対して指紋検出、及び/或いは、パスワード登録で認識を行う以外に、また、暗号化/復号化チップ１３２がメモリユニット１２に暗号化、復号化プロセスを施すことで、データアクセスにおいて、絶対的な機密性とセキュリティー効果を得ることができる。
【図面の簡単な説明】
【００２３】
【図１】この考案によるデータアクセス装置の使用態様を示した参考図である。
【図２】この考案によるデータアクセス装置の構造を示したブロック図である。
【図３】この考案における認識と暗号化のプロセスを示したフローチャートである。
【符号の説明】
【００２４】
１ データアクセス装置
１１ 指紋検出器
１２ メモリユニット
１３ 検証、及び、暗号化/復号化モジュール
１３１ 検証ユニット
１３２ 暗号化/復号化チップ
１４ 通信ユニット
２ コンピュータ
【図１】
0003115081.tif 000003
【図２】
0003115081.tif 000004
【図３】
0003115081.tif 000005